(57)【要約】【課題】  セパレータ間の電気的な短絡現象を防止することができる燃料電池システムを提供する。【解決手段】  水素と酸素の反応を通じて電気エネルギーを発生させる少なくとも一つの電気生成部３１を備えたスタック３０と，水素を含有した燃料を上記電気生成部に供給する燃料供給部４０と，空気を上記電気生成部に供給する空気供給部５０と，上記スタックの露出された外表面を囲む絶縁部６０と，を含むことを特徴とする，燃料電池システムが提供される。【選択図】    図３
2005310791.tif 000002
【特許請求の範囲】
【請求項１】
水素と酸素の反応を通じて電気エネルギーを発生させる少なくとも一つの電気生成部を備えたスタックと；
水素を含有した燃料を前記電気生成部に供給する燃料供給部と；
空気を前記電気生成部に供給する空気供給部と；
前記スタックの露出された外表面を囲む絶縁部と；
を含むことを特徴とする，燃料電池システム。
【請求項２】
前記電気生成部は，膜／電極接合体と，該膜／電極接合体の両面に配置されたセパレートとで単位セルを含んで構成され，
前記絶縁部は，前記セパレータにおける，膜／電極接合体に密着する部分を除いた露出部分に，絶縁膜によって形成されることを特徴とする，請求項１に記載の燃料電池システム。
【請求項３】
前記電気生成部は，膜／電極接合体と，該膜／電極接合体の両面に配置されたセパレートとで単位セルを含んで構成され，
前記絶縁部は，前記セパレータの露出面に絶縁膜によって形成されることを特徴とする，請求項１に記載の燃料電池システム。
【請求項４】
前記スタックは，
電気生成部毎の露出面に絶縁部を形成した後，組み立てられるか，または，
組み立てられた後，電気生成部毎の露出面に絶縁部が形成されることを特徴とする，請求項１に記載の燃料電池システム。
【請求項５】
前記スタックと燃料供給部との間に，前記燃料供給部から供給された燃料を改質して水素ガスを生成させる改質装置をさらに含み，前記燃料供給部とスタックとに連結されることを特徴とする，請求項１に記載の燃料電池システム。
【請求項６】
前記燃料電池システムは，高分子電解質型燃料電池方式で構成されることを特徴とする，請求項１に記載の燃料電池システム。
【請求項７】
前記燃料電池システムは，直接酸化型燃料電池方式で構成されることを特徴とする，請求項１に記載の燃料電池システム。
【請求項８】
水素と酸素の反応を通じて電気エネルギーを発生させる少なくとも一つの電気生成部を備えたスタックと；
水素を含有した燃料を前記電気生成部に供給する燃料供給部と；
空気を前記電気生成部に供給する空気供給部と；
前記スタックを収容する内部空間を有し，該内部空間に前記スタックを内設する絶縁部と；
を含むことを特徴とする，燃料電池システム。
【請求項９】
前記絶縁部は，前記スタック全体を囲む絶縁ケースを含むことを特徴とする，請求項８に記載の燃料電池システム。
【請求項１０】
前記絶縁ケースには，前記スタックに水素ガスと空気を注入し，電気生成時にスタック内で反応せずに残留した水素ガスおよび空気と水分を排出させる複数の孔が形成されていることを特徴とする，請求項９に記載の燃料電池システム。
【請求項１１】
前記絶縁ケースは，前記内部空間にスタックを挿入できるように，少なくとも一つの扉を備えることを特徴とする，請求項９に記載の燃料電池システム。
【発明の詳細な説明】
【技術分野】
【０００１】
本発明は，燃料電池システムに係り，特に，スタックを絶縁可能な構造を有する燃料電池システムに関する。
【背景技術】
【０００２】
一般的に，燃料電池は，メタノールや天然ガスなどの炭化水素系の物質内に含まれている水素と酸素の化学反応エネルギーを，直接電気エネルギーに変換させる発電システムである。この燃料電池は，燃焼過程なしに，水素と酸素の電気化学的な反応によって生成される電気と，その副産物である熱とを同時に使用できるという特徴を有する。
【０００３】
この燃料電池は使用される電解質の種類により，１５０〜２００℃の付近で作動するリン酸型燃料電池，６００〜７００℃の高温で作動する溶融炭酸塩型燃料電池，１０００℃以上の高温で作動する固体酸化物型燃料電池，更に常温〜１００℃以下で作動する高分子電解質型およびアルカリ型燃料電池などに分類される。これら各々の燃料電池は根本的には同じ原理によって作動するが，使用される燃料の種類，運転温度，触媒，および電解質などが互いに異なる。
【０００４】
これらのうち，近年開発が進んでいる高分子電解質型燃料電池（ＰＥＭＦＣ：Ｐｒｏｔｏｎ  Ｅｘｃｈａｎｇｅ  Ｍｅｍｂｒａｎｅ  Ｆｕｅｌ  Ｃｅｌｌ，以下，ＰＥＭＦＣと言う。）は，他の燃料電池に比べて出力特性が優れており，作動温度が低いと共に速い始動および応答特性を有している。このＰＥＭＦＣは，メタノール，エタノール，天然ガスなどを改質して作られた水素を燃料として使用し，自動車のような移動体用の電源はもちろん，住宅，公共建物で用いる分散用電源および電子機器用の小型電源など，その応用範囲が広いという長所も有している。
【０００５】
このようなＰＥＭＦＣは，基本的なシステムを構成するためにスタック，燃料タンク，および燃料ポンプなどを備える。スタックは燃料電池の本体を形成し，燃料ポンプは，燃料タンク内の燃料をスタックに供給する。また，燃料電池は，燃料タンクに保存された燃料をスタックに供給する過程で燃料を改質し，水素ガスを発生させてその水素ガスをスタックに供給する改質装置をさらに含む。
【０００６】
このようなＰＥＭＦＣは，燃料ポンプの作動によって燃料タンク内の燃料を改質装置に供給し，この改質装置で燃料を改質して水素ガスを発生させ，さらにスタックでこの水素ガスと酸素を電気化学的に反応させて電気エネルギーを生成する。
【０００７】
他方，燃料電池には，水素を含有した液状の燃料，例えばメタノールを直接スタックに供給して電気を発生させる直接メタノール型燃料電池（ＤＭＦＣ：Ｄｉｒｅｃｔ  Ｍｅｔｈａｎｏｌ  Ｆｕｅｌ  Ｃｅｌｌ）のような直接酸化型燃料電池方式もある。この方式は，改質装置を排除できる点でＰＥＭＦＣと相違している。
【０００８】
図５は，従来技術によるＰＥＭＦＣ燃料電池システムに使用されるスタックの断面構成図である。
【０００９】
図５を参照すると，このような燃料電池で実質的に電気を発生させるスタック１０は，膜／電極接合体（ＭＥＡ：Ｍｅｍｂｒａｎｅ  Ｅｌｅｃｔｒｏｄｅ  Ａｓｓｅｍｂｌｙ）１１と，セパレータ（本図では二極式プレートを使用）１３，１３’からなる単位セルを数個〜数十個積層した構造を有し，これらは一般的に四角形の板状の外形を持っている。上記膜／電極接合体１１は，電解質膜と，その両面に各々付着されるアノード電極とカソード電極とを含む。そして，セパレータ１３，１３’は，各々アノード面とカソード面とを有し，上記アノード電極に密着するアノード面に燃料通路１５を形成し，上記カソード電極に密着するカソード面に酸化剤通路１７を形成する。かかるスタック１０において発電するには，セパレータ１３の燃料通路１５を通してアノード電極に水素ガスを供給し，セパレータ１３’の酸化剤通路１７を通してカソード電極に酸素を含有した空気を供給する。
【００１０】
したがって，アノード電極では水素ガスの酸化反応が起こり，カソード電極では酸素の還元反応が起こる。ここで，スタック１０が単位セルで構成されていた場合，水素ガスの酸化反応によって分離される水素イオンは電解質膜を通してカソード電極に移動し，電子は外部導線を通してカソード電極に移動しながら電力を発生させ，カソード電極で電子を受け取って還元された酸素イオンと水素イオンの反応により水を発生させる。
【００１１】
しかし，従来技術による燃料電池システムのスタック１０は，そのスタック１０が設置される空間において，実質的に電力を産出する単位である単位セルがそのまま露出されているため，上記空間の温度変化などによって単位セルの表面，つまり，セパレータ１３，１３’の外表面に水分が凝集したり，上記外表面に導電性物体が接触することによって電気的な短絡が起こったりする。つまり，膜／電極接合体１１によってその両側のセパレータ１３，１３’を実質的に絶縁状態に維持しなければならないが，上記水分や導電性物体によってこれらセパレータ１３，１３’が電気的に短絡される可能性がある。これにより，火災事故または人命被害を招く恐れもあり，目的とする負荷に効率的に電気を送ることができなくなる。その結果，システム全体が損なわれるという問題点があった。
【発明の開示】
【発明が解決しようとする課題】
【００１２】
本発明は，従来の燃料電池システムが有する上記問題点に鑑みてなされたものであり，本発明の目的は，セパレータ間の電気的な短絡現象を防止することが可能な，新規かつ改良された燃料電池システムを提供することである。
【課題を解決するための手段】
【００１３】
上記課題を解決するために，本発明のある観点によれば，水素と酸素の反応を通じて電気エネルギーを発生させる少なくとも一つの電気生成部を備えたスタックと；水素を含有した燃料を上記電気生成部に供給する燃料供給部と；空気を上記電気生成部に供給する空気供給部と；上記スタックの露出された外表面を囲む絶縁部と；を含むことを特徴とする，燃料電池システムが提供される。
【００１４】
本発明による燃料電池システムにおいて，上記電気生成部は，膜／電極接合体（ＭＥＡ）と，該膜／電極接合体の両面に配置されたセパレートとで単位セルを含んで構成され，上記絶縁部は，上記セパレータにおける，膜／電極接合体に密着する部分を除いた露出部分に，絶縁膜によって形成されるとしても良い。更に具体的には，上記絶縁膜は，セパレータの周縁面に形成してもよい。
【００１５】
上記スタックは，電気生成部毎の露出面に絶縁部を形成した後，組み立てられるか，または，組み立てられた後，電気生成部毎の露出面に絶縁部が形成されるとしても良い。
【００１６】
そして，本発明による燃料電池システムは，上記スタックと燃料供給部との間に，上記燃料供給部から供給された燃料を改質して水素ガスを生成させる改質装置をさらに含み，上記燃料供給部とスタックとに連結されるとしても良い。
【００１７】
上記燃料電池システムは，高分子電解質型燃料電池方式や直接酸化型燃料電池方式で構成されるとしても良い。
【００１８】
また，上記課題を解決するために，本発明の他の観点によれば，水素と酸素の反応を通じて電気エネルギーを発生させる少なくとも一つの電気生成部を備えたスタックと；水素を含有した燃料を上記電気生成部に供給する燃料供給部と；空気を上記電気生成部に供給する空気供給部と；上記スタックを収容する内部空間を有し，該内部空間に上記スタックを内設する絶縁部と；を含むことを特徴とする，燃料電池システムが提供される。
【００１９】
本発明による燃料電池システムにおいて，上記絶縁部は，上記スタック全体を囲む絶縁ケースを含むことができる。
【００２０】
本発明による燃料電池システムにおいて，上記スタックに水素ガスと空気を注入し，電気生成時にスタック内で反応せずに残留した水素ガスおよび空気と水分を排出させる複数の孔が形成されているとしても良い。
【００２１】
本発明による燃料電池システムにおいて，上記内部空間にスタックを挿入できるように，少なくとも一つの扉を備えることができる。
【発明の効果】
【００２２】
以上説明したように本発明による燃料電池システムによれば，外部の温度変化によって水分が電気生成部に凝集したり，電気生成部に導電性物体が接触したりしても，電気生成部が絶縁部によって絶縁されているので，電気的な短絡現象は生じない。したがって，電気的な短絡現象による火災事故または人命被害およびシステムの損傷を未然に防止することができ，所望の負荷に効率的に電気を送ることができる。
【発明を実施するための最良の形態】
【００２３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
（第１の実施形態）
図１は，本発明の第１の実施形態による燃料電池システムの全体的な構成を示した概略図である。
【００２５】
図１を参照すると，本実施形態のシステム１００は，水素を含有した燃料を改質して水素ガスまたは水素元素含有率の高い化合物ガスの豊富な改質ガスを生成し，この改質ガスと酸素とを反応させて電気エネルギーを生成する高分子電解質型燃料電池（ＰＥＭＦＣ）方式を採用することができる。
【００２６】
上記燃料電池システム１００は，基本的に，上記燃料を改質して改質ガスを生成する改質装置２０と，改質装置２０によって生成された改質ガスと空気中に含まれている酸素との化学反応エネルギーを電気エネルギーに変換させて電気を生成するスタック３０と，上記燃料を改質装置２０に供給する燃料供給部４０と，空気をスタック３０に供給する空気供給部５０とを含んで構成される。
【００２７】
本実施形態による燃料電池システム１００において，電気を生成するための実質的な燃料としては，メタノール，エタノール，天然ガスなどのような炭化水素系の水素燃料の他，水および酸素がさらに含まれる。
【００２８】
そして，前述したように，本実施形態の燃料電池システム１００は，改質装置２０によって生成された改質ガスと空気とをスタック３０に供給して，上記改質ガスと空気中に含まれている酸素との電気化学的な反応によって電気を生成することができる。他の実施形態として，本実施形態の燃料電池システム１００は，別途に保存されている酸素ガスと改質装置２０から改質された改質ガスとをスタック３０に供給して，これらの電気化学的な反応によって電気エネルギーを生成することもできる。以下では，電気生成に必要な酸素の供給源として空気をそのまま使用する前者の例を挙げて説明する。
【００２９】
ところで，本実施形態による燃料電池システム１００は，水素を含有した液状の燃料を直接スタック３０に供給して電気を生成し出す直接酸化型燃料電池方式を採用することもできる。このような直接酸化型燃料方式の燃料電池は，高分子電解質型燃料電池とは違って，図１に示した改質装置２０を必要としない。以下では，便宜上，高分子電解質型燃料電池方式を採用した燃料電池システム１００を例に挙げて説明するが，本実施形態がこの高分子電解質型燃料電池方式に限定されるものではない。
【００３０】
前述の改質装置２０は，液状の燃料を，水素が豊富な改質ガスに転換するだけでなく，上記改質ガスに含まれている一酸化炭素の濃度を低減させることもできる。通常，改質装置２０は，液状の燃料から水素が豊富な改質ガスを発生させる改質部と，その改質ガスより一酸化炭素の濃度を低減させる一酸化炭素低減部とを含んで構成される。上記改質部は，水蒸気改質，部分酸化または自熱反応（autothermal  reforming）などの触媒反応を通じて，上記燃料を水素の豊富な改質ガスに転換する。上記一酸化炭素低減部は，水性ガス転換方法，選択的酸化方法などのような触媒反応，または分離膜を利用した水素の精製などのような方法で，上記改質ガス中の一酸化炭素濃度を低減させる。
【００３１】
上記燃料供給部４０は，改質装置２０に連結設置され，液状の燃料を保存する燃料タンク４１と，燃料タンク４１に連結設置される燃料ポンプ４３とを備える。そして，空気供給部５０は，スタック３０に連結設置され，所定の吸入圧送力で空気を吸入する空気ポンプ５１を備える。
【００３２】
図２は，図１に示したスタックの分解斜視図であり，図３は，図２に示した膜／電極接合体とセパレータが組み立てられた状態の部分断面構成図である。
【００３３】
図１〜図３を参照すると，本実施形態のシステム１００に適用されるスタック３０は，改質装置２０によって改質された改質ガスと酸素との酸化/還元反応を通じて電気エネルギーを発生させる，複数の電気生成部３１が積層された構造を有する。
【００３４】
詳説すると，各々の電気生成部３１は，膜／電極接合体３２を中心にして，その両面にセパレータ３６，３６’を配置して電気を発生させる最小単位のセル（単位セル）を形成する。この単位セルが複数設けられて本実施形態のような積層構造のスタック３０が形成される。
【００３５】
そして，スタック３０の最外郭には，上記複数の電気生成部３１を密着させるエンドプレート３３，３３’が位置している。
【００３６】
膜／電極接合体３２は，両面にアノード電極３２ａとカソード電極３２ｂとを備え，二つの電極の間に電解質膜３２ｃを備える構造を有する。アノード電極３２ａは，改質ガスを酸化反応させ，生成された電子を外部に引き出す。さらに，この電子の流れによって電流を発生させ，水素イオンを電解質膜３２ｃを通してカソード電極３２ｂに移動させる。カソード電極３２ｂは，上記水素イオンと酸素を反応させて水に変換させる。そして，電解質膜３２ｃは，アノード電極３２ａで生成された水素イオンをイオン交換によってカソード電極３２ｂに移動させる。
【００３７】
セパレータ３６，３６’は，膜／電極接合体３２のアノード電極３２ａに密着する第１面３７に，アノード電極３２ａに改質ガスを供給する水素通路３８を形成し，膜／電極接合体３２のカソード電極３２ｂに密着する第２面３７’に，カソード電極３２ｂに空気を供給する空気通路３８’を形成している。
【００３８】
一方，エンドプレート３３，３３’には，改質ガスをセパレータ３６の水素通路３８に供給させる第１注入部３３ａと，空気をセパレータ３６’の空気通路３８’に供給させる第２注入部３３ｂと，膜／電極接合体３２のアノード電極３２ａで反応して残った燃料を排出させる第１排出部３３ｃと，膜／電極接合体３２のカソード電極３２ｂで反応せずに残った空気を排出させる第２排出部３３ｄとを形成している。
【００３９】
上記のように構成された燃料電池システム１００は，セパレータ３６の水素通路３８を通して改質ガスを膜／電極接合体３２のアノード電極３２ａに供給し，セパレータ３６’の空気通路３８’を通して空気を膜／電極接合体３２のカソード電極３２ｂに供給している。そして，膜／電極接合体３２は，改質ガスと酸素の酸化/還元反応によって電気を生成する。
【００４０】
このような燃料電池システム１００は，電気生成部３１で電気を発生させる途中，スタック３０が設置された空間外部の温度変化などにより電気生成部３１の外表面に水分が凝集したり，導電性を有する物体が電気生成部３１の表面に接触したりすることがある。この場合，セパレータ３６，３６’間に電気的な短絡現象が発生し，目的の負荷に対して効率的に電気を送ることができなくなるだけでなく，火災など各種事故を招く恐れがある。上記負荷とは，電力を必要とする装置を意味する。
【００４１】
したがって，本発明の実施形態による燃料電池システム１００は，電気生成部３１より発生する電流の漏洩を防止するため，スタック３０の外表面を囲む絶縁部６０を備えている。
【００４２】
上記絶縁部６０は，電気生成部３１で発生する電気を絶縁することを目的としている。絶縁部６０は，セパレータ３６，３６’の膜／電極接合体３２に密着する部分を除いた残りの露出面，特にセパレータの側面に絶縁膜６１を形成している。具体的に，上記絶縁膜６１は，膜／電極接合体３２のアノード電極３２ａに密着する第１面３７，およびカソード電極３２ｂに密着する第２面３７’を除いた残りの露出面に形成され得る。この場合，絶縁膜６１は，液状の電気絶縁性物質を露出面の全部または一部に被覆することもできる。上記被覆は，スプレー（噴射），ブラッシング（刷毛塗り）またはディッピング（浸漬）方法によってセパレータ３６，３６’の露出面に塗布し，乾燥する方式で実施可能である。
【００４３】
この時，上記電気絶縁性物質としては合成樹脂，合成ゴム，ガラス質などが用いられる。具体的には，フェノール樹脂，ポリウレタン，ポリエステル樹脂，ポリテトラフルオロエチレン（ＰＴＦＥ），ポリイミド，ポリアミド，アクリル，尿素/メラミン樹脂，シリコン樹脂のような通常の合成樹脂などが挙げられ，絶縁ニスのようなニス系の絶縁性物質を使用してもよい。ガラス質の例では，水ガラス，酸化シリコン系の膜などがある。
【００４４】
また，スタック３０のエンドプレート３３，３３’が導体である場合，上記絶縁膜６１は，電気生成部３１の最外郭に位置し，各々のエンドプレート３３，３３’と密着するセパレータ３６，３６’の一面に形成することもできる。または，セパレータ３６，３６’が密着する部分を除いたエンドプレート３３，３３’の残りの露出面に絶縁膜を形成することもできる。
【００４５】
本実施形態における絶縁性物質を塗布/乾燥する方式として，セパレータ３６，３６’の周縁面に絶縁膜６１を形成することに限定されず，絶縁性物質からなる合成樹脂，合成繊維または合成ゴム系の絶縁テープをスタック３０の露出面に付着することもできる。
【００４６】
上記絶縁部６０は，各々の電気生成部３１に絶縁部６０を形成してスタック３０を組み立てることもでき，スタック３０を組み立てた後で絶縁部６０を形成することもできる。
【００４７】
本実施形態での燃料電池システム１００は，電気生成部３１で発生する電気を絶縁する絶縁膜６１を備えることにより，電気生成部３１の外部，いわゆるスタック３０が設置される空間の温度変化によって電気生成部３１の外表面に水分が凝集し，このスタック３０に近接する導電体が電気生成部３１に接触することによって発生する，セパレータ３６，３６’の電気的な短絡現象を防止することができる。
【００４８】
（第２の実施形態）
図４は，本発明の第２の実施形態による燃料電池システムに使用されるスタックの断面構成図である。
【００４９】
本実施形態による燃料電池システムを構成するスタック７０において，電気生成部７１で発生する電気を絶縁させるために，上記スタック７０の全体を囲む絶縁ケース８１を有する絶縁部６０が備えられる。
【００５０】
上記絶縁ケース８１は，四角形のエンドプレート７３，７３’を含んだスタック７０全体を収容する内部空間を有する密閉型ケースを含む。上記絶縁ケース８１は，六面体形態を有しながら，その六面体のうちのいずれか一つの面を構成する絶縁板が開閉ドアの機能を果たし，スタック７０を上記内部空間に内蔵させることができる。このために絶縁ケース８１は，上記六面体のうちの上記少なくとも一つのエンドプレート７３，７３’と接する絶縁板８２，８２’を選択的に分離できるように構成するのが好ましい。
【００５１】
そして，上記絶縁ケース８１には，エンドプレート７３，７３’の第１および第２注入部７３ａ，７３ｂと，第１および第２排出部７３ｃ，７３ｄに各々相互連通する孔８１ａ−８１ｄが形成されている。また，図示していないが，電気的な接続装置も当然必要であり，このために２つの通電孔を，それぞれエンドプレート７３，７３’側の絶縁板に開孔し，コイルばね，板ばねを備えた端子ねじを圧接式に取り付けるとしても良い。上記孔８１ａ−８１ｄは，スタック７０のエンドプレート７３，７３’と接する絶縁板に形成できる。
【００５２】
他の実施形態として，絶縁ケース８１は，スタック７０全体を収容することに限定されず，エンドプレート７３，７３’を除いた電気生成部７１全体を収容する構造を有することもできる。このために，エンドプレート７３，７３’は不導体からなるのが好ましく，上記エンドプレート７３，７３’が導電体である場合には，電気生成部７１の最外郭に位置するセパレータ７６とエンドプレート７３，７３’との間に別途の絶縁部を介在することもできる。
【００５３】
このような絶縁ケース８１は，電気を絶縁できる素材，例えば，石綿，大理石，硫黄のような無機質材料，ステアタイトまたはガラス陶磁器のような磁器系材料，石英ガラス，ソーダガラス，鉛ガラスのようなガラス系材料，木材，紙，綿糸，絹織物，麻糸，ポリエステル，ポリエチレンなどのような繊維質材料，ポリテトラフルオロエチレン，ポリイミド，ポリアミド，ポリスチレン，ポリプロピレン，ポリエチレン，ポリ塩化ビニル，ナイロンなどのような樹脂系材料，天然ゴム，エボナイト，ブチルゴム，クロロプレンゴム，シリコンゴムなどのようなゴム系材料またはニスクロス，ニスペーパー，合成樹脂系ニスなどのようなニス系材料などで形成されることができる。また，金属ケースに絶縁塗装を施してもよく，上記絶縁ケースは，材質によって公知の成形方法で製作できる。
【００５４】
その他の構成要素と本実施形態による作用は，上述した第１の実施形態と同一であるので，詳細な説明は省略する。
【００５５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５６】
本発明は，燃料電池システムに係り，特に，スタックを絶縁できる構造を有する燃料電池システムに適用可能である。
【図面の簡単な説明】
【００５７】
【図１】本発明の第１の実施形態による燃料電池システムの全体的な構成を示した概略図である。
【図２】図１に示したスタックの分解斜視図である。
【図３】図２に示した膜／電極接合体とセパレータが組み立てられた状態の部分断面構成図である。
【図４】本発明の第２の実施形態による燃料電池システムに使用されるスタックの断面構成図である。
【図５】従来技術による燃料電池システムに使用されるスタックの断面構成図である。
【符号の説明】
【００５８】
１０，３０，７０  スタック
１１，３２  膜／電極接合体
１３，１３’，３６，３６’  セパレータ
１５  燃料通路
１７  酸化剤通路
２０  改質装置
３１，７１  電気生成部
３２  膜／電極接合体
３２ａ  アノード電極
３２ｂ  カソード電極
３２ｃ  電解質膜
３３，３３’，７３，７３’  エンドプレート
３３ａ，７３ａ  第１注入部
３３ｂ，７３ｂ  第２注入部
３３ｃ，７３ｃ  第１排出部
３３ｄ，７３ｄ  第２排出部
３７  第１面
３７’  第２面
３８  水素通路
３８’  空気通路
４０  燃料供給部
４１  燃料タンク
４３  燃料ポンプ
５０  空気供給部
５１  空気ポンプ
６０  絶縁部
６１  絶縁膜
８１  絶縁ケース
８１ａ，８１ｂ，８１ｃ，８１ｄ  孔
８２，８２’  絶縁板
１００  燃料電池システム
【図１】
2005310791.tif 000003
【図２】
2005310791.tif 000004
【図３】
2005310791.tif 000005
【図４】
2005310791.tif 000006
【図５】
2005310791.tif 000007